(57)【要約】【課題】一方の管体に他方の管体から離れる方向に引き抜き力が作用した場合に、管体どうしの接続状態を維持できるコネクタを提供する。【解決手段】このコネクタ１０は、ハウジング２０とリテーナ４０とを有し、ハウジング２０に一対の開口部２９，２９が形成され、リテーナ４０は、長軸及び短軸を有する係合部４１と、一対の操作部４５，４５とを有し、操作部４５はストッパ部４７を有しており、該ストッパ部４７及び前記開口部２９の縁部にテーパ面４７ａ，３１が形成されており、第１管体１に引き抜き力が作用したときに、ストッパ部４７が開口部２９の縁部に当接して、テーパ面４７ａ，３１を介して開口部２９の縁部に乗り上げ、一対の操作部が４５，４５ハウジング外径方向に移動するように構成されている。【選択図】図９
2015224687.tif 000002
【特許請求の範囲】
【請求項１】
外周にフランジ部が形成された第１管体に、第２管体を接続するためのコネクタであって、
一端が前記第２管体を接続するための接続部をなすと共に、他端内周が前記第１管体の挿入部をなす筒状のハウジングと、該ハウジングに装着され前記第１管体を抜け止め保持するリテーナとを有し、
前記ハウジングの周壁には、前記第１管体に引き抜き力が作用したときに、前記リテーナに係合して、前記リテーナの、前記ハウジングの他端方向への所定距離以上の移動を規制する第１ロック部と、第１管体の径方向内方へのリテーナの変形及び移動を規制する第２ロック部とが形成され、
前記リテーナは、前記第１管体のフランジ部に係合して前記第１管体を抜け止めする係合部と、前記第１管体の径方向に移動可能に設けられ、径方向内方に移動することにより前記係合部の係合を解除させる操作部と、前記第１管体に引き抜き力が作用したとき、前記所定距離の範囲内で移動して、前記第２ロック部と前記第１管体の径方向で対向することにより、前記操作部の前記径方向内方への動きを規制するストッパ部とを有することを特徴とするコネクタ。
【請求項２】
前記ハウジングの前記挿入部の周壁には、開口部が形成されており、該開口部の前記ハウジングの他端部側の縁部が前記第１ロック部をなし、前記縁部よりも他端側の周壁外側面上に前記第２ロック部が設けられ、前記操作部は、前記開口部内で前記ハウジングの軸方向に所定距離だけ移動可能に配置され、前記ストッパ部は、前記操作部から前記ハウジングの他端側に延出し、その先端が前記縁部よりも外径側に位置するように形成されている請求項１記載のコネクタ。
【請求項３】
前記リテーナの係合部は、長軸及び短軸を有する異形環状をなし、前記操作部は、前記係合部の長軸方向の両端部に連結された一対のものからなり、前記係合部の短軸方向の内径は、常時は前記第１管体のフランジ部の外径よりも小さくされ、前記一対の操作部を互いに近接する方向に押圧すると、前記第１管体のフランジ部の外径よりも大きくなって、前記係合部の係合が解除されるように構成されており、
前記ストッパ部と前記第２ロック部との間には、いずれか少なくとも一方にテーパ面が形成されており、前記第１管体に引き抜き力が作用したときに、前記テーパ面を介して、前記ストッパ部が前記第１管体の径方向外方に移動するように構成されている請求項２記載のコネクタ。
【請求項４】
前記ハウジングの挿入部内周には、前記挿入部の開口側端面から軸方向に沿って少なくとも１つの溝部が形成されており、
前記リテーナの異形環状をなす係合部の短軸側には、前記溝部に挿入される少なくとも１つの凸部が形成されている請求項３記載のコネクタ。
【請求項５】
前記リテーナの異形環状をなす係合部の長軸側の両端部はＶ字状をなしており、その端部に前記操作部が連結されている請求項３又は４記載のコネクタ。
【発明の詳細な説明】
【技術分野】
【０００１】
本発明は、例えば、ホースやチューブ、配管等の管体どうしを接続するための、コネクタに関する。
【背景技術】
【０００２】
例えば、自動車の内燃機関系統や、ブレーキ系統、ラジエータ等の燃料供給系統には、複数のホースやチューブ等が配管されている。これらのホースやチューブ等の管体どうしを接続するために、コネクタが用いられている。また、管体どうしを接続した後、メンテナンス等の理由により、管体どうしの接続を解除したい場合がある。
【０００３】
このような管体どうしを自由に脱着可能なものとして、例えば、下記特許文献１には、第２管体が接続されるケーシングに、環状の保持リブを有する第１管体を接続する迅速カップリングが記載されている。ケーシングには、前記保持リブに係合する保持縁部を有する保持エレメントが装着されており、前記第１管体がケーシング内に差し込まれて、その保持リブが保持エレメントの保持縁部に係合することで、ケーシングに第２管体が接続される。
【０００４】
また、前記ケーシングには、第１管体差込側の開口部側の壁部であって、周方向に対向する箇所に、窓状の開口部が形成されている。更に前記保持エレメントは、前記保持縁部を内側に設けた一対の支持体と、各支持体の端部からＶ字形に延設されたばねウェブと、各ばねウェブの端部に結合された押圧プレートとからなり、該一対の押圧プレートがケーシングの一対の開口部に配置された状態で、ケーシングに保持エレメントが装着されるようになっている。
【０００５】
そして、第１管体と第２管体との接続を解除する場合には、保持エレメントの一対の押圧プレートを互いに押し込むことで、保持縁部が互いに離れる方向にばねウェブが撓み変形して、第２管体の保持リブとの係合が解除されて、ケーシングから第１管体を引き抜くことができ、第１管体と第２管体との接続を解除することができる。
【先行技術文献】
【特許文献】
【０００６】
【特許文献１】特表２００２−５１５５７７号公報
【発明の概要】
【発明が解決しようとする課題】
【０００７】
上記特許文献１の迅速カップリングにおいては、いずれかの管体に引き抜き力が作用すると、第１管体の保持リブによって、保持エレメントの保持縁部が押されて、保持エレメントにも引き抜き力が作用するが、ケーシングの開口部内に配置された保持エレメントの押圧プレートが、開口部の縁部に当接して引き抜き抗力がもたらされる。
【０００８】
しかし、特許文献１の迅速カップリングでは、上記の状態でも、押圧プレートが内方に移動できるため、何らかの外力によって押圧プレートが内方に押されると、係合が外れてしまう可能性があった。
【０００９】
したがって、本発明の目的は、一方の管体に他方の管体から離れる方向に引き抜き力が作用した場合に、リテーナの操作部を押せず、管体どうしの接続状態を維持することができる、コネクタを提供することある。
【課題を解決するための手段】
【００１０】
上記目的を達成するため、本発明は、外周にフランジ部が形成された第１管体に、第２管体を接続するためのコネクタであって、
一端が前記第２管体を接続するための接続部をなすと共に、他端内周が前記第１管体の挿入部をなす筒状のハウジングと、該ハウジングに装着され前記第１管体を抜け止め保持するリテーナとを有し、
前記ハウジングの周壁には、前記第１管体に引き抜き力が作用したときに、前記リテーナに係合して、前記リテーナの、前記ハウジングの他端方向への所定距離以上の移動を規制する第１ロック部と、第１管体の径方向内方へのリテーナの変形及び移動を規制する第２ロック部とが形成され、
前記リテーナは、前記第１管体のフランジ部に係合して前記第１管体を抜け止めする係合部と、前記第１管体の径方向に移動可能に設けられ、径方向内方に移動することにより前記係合部の係合を解除させる操作部と、前記第１管体に引き抜き力が作用したとき、前記所定距離の範囲内で移動して、前記第２ロック部と前記第１管体の径方向で対向することにより、前記操作部の前記径方向内方への動きを規制するストッパ部とを有することを特徴とするコネクタを提供するものである。
【００１１】
本発明のコネクタにおいては、前記ハウジングの前記挿入部の周壁には、開口部が形成されており、該開口部の前記ハウジングの他端部側の縁部が前記第１ロック部をなし、前記縁部よりも他端側の周壁外側面上に前記第２ロック部が設けられ、前記操作部は、前記開口部内で前記ハウジングの軸方向に所定距離だけ移動可能に配置され、前記ストッパ部は、前記操作部から前記ハウジングの他端側に延出し、その先端が前記縁部よりも外径側に位置するように形成されていることが好ましい。
【００１２】
本発明のコネクタにおいては、前記リテーナの係合部は、長軸及び短軸を有する異形環状をなし、前記操作部は、前記係合部の長軸方向の両端部に連結された一対のものからなり、前記係合部の短軸方向の内径は、常時は前記第１管体のフランジ部の外径よりも小さくされ、前記一対の操作部を互いに近接する方向に押圧すると、前記第１管体のフランジ部の外径よりも大きくなって、前記係合部の係合が解除されるように構成されており、
前記ストッパ部と前記第２ロック部との間には、いずれか少なくとも一方にテーパ面が形成されており、前記第１管体に引き抜き力が作用したときに、前記テーパ面を介して、前記ストッパ部が前記第１管体の径方向外方に移動するように構成されていることが好ましい。
【００１３】
本発明のコネクタにおいては、前記ハウジングの挿入部内周には、前記挿入部の開口側端面から軸方向に沿って少なくとも１つの溝部が形成されており、前記リテーナの環状部の短軸側には、前記溝部に挿入される少なくとも１つの凸部が形成されていることが好ましい。
【００１４】
本発明のコネクタにおいては、前記リテーナの環状部の長軸側の両端部はＶ字状をなしており、その端部に前記操作部が連結されていることが好ましい。
【発明の効果】
【００１５】
上記発明によれば、ハウジングにリテーナが装着された状態で、操作部ハウジングの挿入部内周に第１管体を挿入して、リテーナの係合部を第１管体のフランジ部に係合させることにより、第１管体と第２管体とを接続することができる。また、リテーナの操作部を、前記第１管体の径方向内方に押圧することで、リテーナの係合部と第１管体のフランジ部との係合が解除されるので、ハウジングから第１管体を引き抜くことができる。
【００１６】
そして、第１管体と第２管体とが接続された状態において、第１管体に引き抜き力が作用すると、リテーナの操作部のストッパ部が、ハウジングの第２ロック部に係合して、操作部を押すことができなくなり、第１管体をハウジングから不用意に引き抜いてしまうことを確実に防止することができる。
【図面の簡単な説明】
【００１７】
【図１】本発明に係るコネクタの、一実施形態を示す分解斜視図である。
【図２】同コネクタを構成するリテーナの斜視図である。
【図３】同コネクタにおいて、ハウジングにリテーナを装着した状態の斜視図である。
【図４】同コネクタの要部断面斜視図である。
【図５】同コネクタにおいて、ハウジングの挿入部に第１管体が接続された状態の斜視図である。
【図６】同コネクタによって、第１管体と第２管体とを接続した状態の断面説明図である。
【図７】同コネクタによって、第１管体と第２管体とを接続した状態を示しており、（ａ）はその断面図、（ｂ）は（ａ）のＡ−Ａ矢示線における断面図である。
【図８】同コネクタにおいて、第１管体と第２管体との接続解除をする際の状態を示しており、（ａ）はその断面図、（ｂ）は（ａ）のＢ−Ｂ矢示線における断面図である。
【図９】同コネクタにおいて、第１管体に引き抜き力が作用した際の状態を示しており、（ａ）はその断面図、（ｂ）は（ａ）のＣ−Ｃ矢示線における断面図である。
【発明を実施するための形態】
【００１８】
以下、図１〜９を参照して、本発明のコネクタの一実施形態について説明する。
【００１９】
図６に示すように、このコネクタ１０は、外周に環状のフランジ部１ａが形成された第１管体１と、第２管体２とを接続するものである。この実施形態では、第１管体１の外周に、更に第３管体３が接続されるようになっている（図６参照）。
【００２０】
コネクタ１０を介して接続される管体としては、例えば、自動車の内燃機関系統や、ブレーキ系統や、ラジエータ等の燃料供給系等において用いられるホースや、チューブ、パイプ等が挙げられるが、これ以外の管体でもよい。
【００２１】
図１に示すように、この実施形態のコネクタ１０は、筒状のハウジング２０と、該ハウジング２０に装着され、前記第１管体１を抜け止め保持するリテーナ４０とを有している。
【００２２】
図１、図４及び図６に示すように、前記ハウジング２０は、所定長さで伸びると共に軸方向両端が開口した略円筒状に形成されており、その一端が前記第２管体２を接続するための接続部２１をなし、他端が前記第１管体１を挿入するための挿入部２３をなしている。
【００２３】
図４及び図６に示すように、ハウジング２０の内部は、挿入部２３の開口側から段階的に縮径した形状をなし、その奥方にリング配置部２５が形成されていると共に、該リング配置部２５の軸方向途中に環状溝２７が形成されている。そして、前記リング配置部２５の奥方にシールリング５０が配置されると共に、該シールリング５０よりも挿入部開口寄りの部分にストッパリング６０が配置され、その外周に突設された環状突部６０ａが前記環状溝２７に嵌合して、ストッパリング６０が位置決め保持され、それによりシールリング５０が抜け止め保持されるようになっている。
【００２４】
また、ハウジング２０の挿入部２３側の周壁には、その周方向に対向する位置に、周方向に沿って伸びる、矩形長孔状をなした開口部２９，２９がそれぞれ形成されている（図１、図３及び図４参照）。図３及び図４に示すように、一対の開口部２９，２９内に、リテーナ４０の一対の操作部４５，４５が配置されるようになっている。なお、開口部２９の形状は正方形状等としてもよく、リテーナ４０の操作部４５の形状等に対応して適宜変更することができる。
【００２５】
更に、図４及び図７〜９に示すように、各開口部２９の、挿入部２３の開口側（図７（ａ）の矢印に示す、第１管体１の引き抜き方向側）であって、ハウジング外周側の縁部には、リテーナ４０の移動を規制する第１ロック部３１ａと、挿入部２３の開口側に向かうにつれて、次第に高さが高くなるテーパ面からなり、操作部４５の内方への撓みを規制する第２ロック部３１ｂとが形成されている。
【００２６】
また、ハウジング２０の挿入部２３側の周壁の内周であって、前記一対の開口部２９，２９に直交する位置には、挿入部２３の開口側端面から、ハウジング２０の軸方向に沿って、一対の溝部３３，３３が所定長さで形成されている。各溝部３３は、ハウジング２０の内部空間側及び挿入部２３の開口側が開口した凹状をなしている。これら一対の溝部３３，３３には、リテーナ４０の一対の凸部４９，４９（図２参照）が挿入されるようになっている（図４及び図７（ｂ）参照）。なお、溝部３３は少なくとも１つあればよい。
【００２７】
上記形状をなしたハウジング２０に装着されるリテーナ４０は、図２に示すように、長軸Ａ及び短軸Ｂを有する異形環状をなした係合部４１を有している。
【００２８】
この実施形態における係合部４１は、中間部が円弧状に屈曲した形状をなすと共に、両端部がほぼ直線状をなすように伸びる一対の撓み片４３，４３を、屈曲部分を外側に向けて互いに向き合わせると共に、各撓み片４３の直線状の両端部どうしを連結させて、長軸Ａ及びそれよりも短い短軸Ｂを有する異形環状をなしている。
【００２９】
なお、図７（ｂ）に示すように、前記係合部４１の長軸Ａ側の両端部は、一対の直線状部分の基端どうしが連結されて、Ｖ字状をなしている。また、係合部４１の、ハウジング２０の挿入部２３の開口側の内周縁部には、傾斜面４３ａが形成されており（図２参照）、第１管体１と第２管体２とを接続すべく、ハウジング２０に装着されたリテーナ４０の係合部４１内に第１管体１を挿入していくときに挿入しやすく、かつ、第１管体１のフランジ部１ａにより係合部４１を押し広げやすくなっている。
【００３０】
前記係合部４１の長軸Ａ側の対向する箇所には、操作部４５，４５が連結されている。各操作部４５は、前記ハウジング２０の開口部２９の形状に対応して、係合部４１の短軸Ｂ方向に長く伸びる略長板状をなしている。
【００３１】
また、図７（ａ）に示すように、各操作部４５の、係合部４１の軸方向に沿った長さＬは、前記ハウジング２０の各開口部２９の、ハウジング２０の軸方向に沿った開口幅Ｗよりも小さく形成されており、一対の操作部４５，４５は、一対の開口部２９，２９内において、ハウジング２０の軸方向に所定距離だけスライド可能に配置されるようになっている。
【００３２】
そして、前記係合部４１は、常時（外力が付与されていない状態）は、図２及び図７（ｂ）に示すように、その短軸Ｂ方向の内径が第１管体１のフランジ部１ａの外径よりも小さくされて、第１管体１のフランジ部１ａに係合可能な大きさとされており、図８（ｂ）に示すように、一対の操作部４５，４５を互いに近接する方向に押圧したときに、長軸Ａ側が押されて、第１管体１のフランジ部１ａが通過可能な大きさに拡径して、フランジ部１ａと係合部４１との係合が解除できるようになっている。なお、この実施形態の場合、図７に示す状態では、係合部４１に第１管体１のフランジ部１ａが係合していないが、第１管体１に引き抜き力が作用したときに、そのフランジ部１ａが係合部４１に係合するようになっている。
【００３３】
また、係合部４１の形態は、例えば、菱形や楕円形状等としてもよく、長軸Ａ及び短軸Ｂを有する異形環状をなし、常時は第１管体１のフランジ部１ａに係合し、操作部押圧時に、フランジ部１ａが通過可能となって、フランジ部１ａと係合部４１との係合が解除できる形態であればよい。なお、操作部４５の形状も特に限定はなく、例えば、正方形状等としてもよく、ハウジング２０の開口部２９内で所定距離だけスライド可能で、かつ、第１管体１と第２管体２との接続解除時に押圧可能で、前記係合部４１を上記のように変形させることが可能であればよい。
【００３４】
更に各操作部４５の、前記ハウジング２０の開口部２９のロック部３１に対向配置される部分からは、ハウジング２０の挿入部２３の開口側（第１管体１の引き抜き方向側）に向けて延出したストッパ部４７が設けられている。このストッパ部４７の内周側には、延出方向先端に向けて次第に高さが低くなるテーパ面４７ａが形成されている（図２及び図４参照）。
【００３５】
そして、この実施形態のコネクタ１０においては、ハウジング２０の挿入部２３に第１管体１が挿入され、そのフランジ部１ａがリテーナ４０の係合部４１に係合する状態で（図７参照）、図７の矢印に示す引き抜き力が第１管体１に作用したときに、リテーナ４０の各ストッパ部４７のテーパ面４７ａが、ハウジング２０の各開口部２９のテーパ面をなす第２ロック部３１ｂに当接し、これらのテーパ面４７ａ，第２ロック部３１ｂを介して、開口部２９の第２ロック部３１ｂ上にストッパ部４７，４７がそれぞれ乗り上がって、一対の操作部４５，４５がハウジング２０の外径方向に移動するように構成されている（図９参照）。これにより、一対の操作部４５，４５を互いに近接する方向に押すことができず、係合部４１を拡径させることができないようになっている。また、この状態で、リテーナ４０は、開口部２９の第１ロック部３１ａに当接し、挿入部２３の開口側に移動できなくなるので、第１管体１が引き抜き方向に移動するのを制止することができる。
【００３６】
なお、この実施形態では、ハウジング２０の開口部２９にテーパ面をなす第２ロック部３１ｂが形成され、リテーナ４０のストッパ部４７にもテーパ面４７ａが形成されているが、どちらか一方のみにテーパ面を設けてもよく、第１管体１に引き抜き力が作用したときに、ストッパ部４７が開口部２９の縁部に当接し、いずれかのテーパ面を介して開口部２９の縁部に乗り上がって、一対の操作部４５，４５がハウジング外径方向に移動する構造であればよい。
【００３７】
また、前記係合部４１の短軸Ｂ側には、ハウジング２０の溝部３３，３３に挿入され、リテーナ４０の回り止めやスライド時のガイドとなる、一対の凸部４９，４９が突設されている（図２参照）。この実施形態における凸部４９，４９は、係合部４１を構成する一対の撓み片４３，４３の外周面中央から、一対の操作部４５，４５に直交する位置に、撓み片４３の幅方向に亘ってそれぞれ突設されている。なお、この実施形態では、ハウジング２０の一対の溝部３３，３３に対応して、一対の凸部４９，４９が設けられているが、該凸部４９は少なくとも１つあればよい。
【００３８】
次に上記構成からなるコネクタ１０の使用方法の一例について説明する。
【００３９】
まず、ハウジング２０の挿入部２３の開口からシールリング５０を挿入し、リング配置部２５に配置した後、ストッパリング６０を挿入して、その環状突部６０ａを環状溝２７に係合させることで、シールリング５０を抜け止め保持する（図４及び図６参照）。
【００４０】
次いで、リテーナ４０の係合部４１の撓み片４３，４３を、短軸Ｂの内径方向に向けて互いに近接するように押圧して、係合部４１が細長い環状となるように撓み変形させる。その状態を維持しつつ、一方の操作部４５を、ハウジング２０の一方の開口部２９から挿入すると共に、ハウジング内部を通過させて他方の開口部２９から挿出させる。すると、一対の開口部２９，２９内に、一対の操作部４５，４５が配置されると共に、係合部４１が弾性復帰して、一対の凸部４９，４９がハウジング２０の一対の溝部３３，３３に挿入されて、リテーナ４０が回り止めされ、かつ、開口部２９内に配置された操作部４５により抜け止めされた状態で、ハウジング２０に対してリテーナ４０を装着することができる（図３及び図４参照）。また、この状態では、リテーナ４０の操作部４５のストッパ部４７のテーパ面４７ａが、ハウジング２０の開口部２９のテーパ面をなす第２ロック部３１ｂに対向した位置に配置される（図４及び図７（ａ）参照）。
【００４１】
このように、この実施形態においては、ハウジング２０にリテーナ４０が装着された状態で、ハウジング２０の溝部３３に、リテーナ４０の凸部４９が挿入されるようになっているので、リテーナ４０の、ハウジング２０の軸方向に沿った移動が許容されると共に、ハウジング２０に対してリテーナ４０の回り止めを図ることができる。また、溝部３３は、ハウジング２０の挿入部２３の開口側端面から形成されているので、ハウジング２０の軸方向に沿ってスライドする型構造によって、溝部３３を成形可能とすることができ、型抜きが容易な構造とすることができる。
【００４２】
上記のように、ハウジング２０にリテーナ４０が装着された状態で、ハウジング２０の挿入部２３内に第１管体１を挿入する。すると、第１管体１のフランジ部１ａが、リテーナ４０の係合部４１の傾斜面４３ａに当接して、係合部４１の短軸Ｂ側が拡径するように、係合部４１を押し広げつつ挿入されていき、第１管体１のフランジ部１ａが係合部４１を乗り越えて、その裏側に抜け出ると、係合部４１が弾性復帰して、第１管体１のフランジ部１ａに係合可能な位置となる（図６及び図７参照）。それと共に、第１管体１の先端部がシールリング５０の内周に挿通され、第１管体１の先端部外周とハウジング２０の内周とがシールリング５０によってシールされる（図７（ａ）参照）。
【００４３】
このように、このコネクタ１０においては、ハウジング２０にリテーナ４０を装着した後、ハウジング２０の挿入部２３に第１管体１を挿入して押し込むだけの簡単な作業で、第２管体２と、第１管体１及びこれに接続された第３管体３とを、コネクタ１０を介してワンタッチで接続することができる（図５〜７参照）。この状態で第１管体１に引き抜き力が作用しても、そのフランジ部１ａがリテーナ４０の係合部４１の裏側（テーパ面４７ａとは反対側）に係合するので、ハウジング２０の挿入部２３内から第１管体１が抜け出ることを防止でき、第１管体１と第２管体２との接続状態を維持することができる。
【００４４】
そして、メンテナンス等の理由により、第２管体２が接続されたコネクタ１０から、第１管体１及びこれに接続された第３管体３を取外したい場合には、リテーナ４０の一対の操作部４５，４５を互いに近接する方向に押圧する（図８（ａ）の矢印参照）。すると、係合部４１の長軸Ａ側が押されるので、図８（ｂ）に示すように、係合部４１がハウジング２０の内周形状に沿って円環状となるように拡径して、係合部４１とフランジ部１ａとの係合可能状態が解除され、第１管体１のフランジ部１ａが通過可能な大きさとなる。この状態で、ハウジング２０の挿入部２３から第１管体１を引き抜くことで、第１管体１と第２管体２とを取外すことができる。
【００４５】
また、この実施形態では、リテーナ４０の係合部４１の、長軸Ａ側の両端部がＶ字状をなしているので、第１管体１と第２管体２との接続を解除すべく、一対の操作部４５，４５を互いに近接する方向に押圧するときに、その押圧力を効率的に作用させて、係合部４１をスムーズに拡径させることができる。
【００４６】
そして、このコネクタ１０においては、図７に示すように、ハウジング２０の挿入部２３に第１管体１が挿入され、フランジ部１ａがリテーナ４０の係合部４１に係合可能とされた状態で、図７（ａ）の矢印に示す引き抜き力が第１管体１に作用すると、次のような動作がなされる。
【００４７】
すなわち、係合部４１の裏側に係合した第１管体１のフランジ部１ａによって、リテーナ４０が押されて、一対の操作部４５，４５が、開口部２９，２９内において、挿入部２３の開口側にスライドして、リテーナ４０の各ストッパ部４７のテーパ面４７ａが、ハウジング２０の各開口部２９のテーパ面をなす第２ロック部３１ｂに当接し、これらのテーパ面４７ａ，第２ロック部３１ｂを介して、図９（ａ）に示すように、開口部２９の第２ロック部３１ｂ上にストッパ部４７，４７がそれぞれ乗り上がり、一対の操作部４５，４５がハウジング２０の外径方向に移動する。
【００４８】
したがって、この状態では、リテーナ４０の一対の操作部４５，４５を互いに近接する方向に押すことができず、係合部４１を拡径させることができないので、リテーナ４０の係合部４１を不用意に拡径させて、ハウジング２０の挿入部２３内から第１管体１を引き抜いてしまうことを確実に防止することができる。
【００４９】
また、上述したように、リテーナ４０のストッパ部４７，４７が、ハウジング２０の開口部２９，２９の縁部に設けたテーパ面４７ａ，４７ａに乗り上がることにより、一対の操作部４５，４５がハウジング２０の外径方向に移動するので、図９（ｂ）に示すように、リテーナ４０の係合部４１が、長軸Ａ側に引っ張られて、その内径が更に狭くなり、第１管体１を挟み込むようにフランジ部１ａに係合するため、第１管体１を強固に保持することができる。
【００５０】
なお、リテーナ４０は、開口部２９の第１ロック部３１ａに当接して、それ以上、挿入部２３の開口側へ移動できなくなるので、第１管体１の引き抜き方向への移動を阻止することができる。
【００５１】
以上の実施形態では、リテーナ４０として、長軸及び短軸を有する異形環状をなす係合部４１を有するものが採用されているが、本発明は、いわゆる門型のリテーナ（コの字状をなし、ハウジングの両側に形成されたスリットに、両側のアーム部を挿入されて、第１管体１のフランジ部１ａに係合するようにしたリテーナ）を有する構造のものに適用することもできる。
【符号の説明】
【００５２】
１  第１管体
１ａ  フランジ部
２  第２管体
３  第３管体
１０  コネクタ
２０  ハウジング
２１  接続部
２３  挿入部
２９  開口部
３１ａ  第１ロック部
３１ｂ  第２ロック部
３３  溝部
４０  リテーナ
４１  係合部
４５  操作部
４７  ストッパ部
４７ａ  テーパ面
４９  凸部
５０  シールリング
６０  ストッパリング
【図１】
2015224687.tif 000003
【図２】
2015224687.tif 000004
【図３】
2015224687.tif 000005
【図４】
2015224687.tif 000006
【図５】
2015224687.tif 000007
【図６】
2015224687.tif 000008
【図７】
2015224687.tif 000009
【図８】
2015224687.tif 000010
【図９】
2015224687.tif 000011